(57)【要約】      （修正有）【課題】電力会社からの電気を使用して、中古のタイヤホイル、洗たく機などのモーターを再利用して、音のしずかな低コストの発電機を作る。【解決手段】固定板（１０）に取り付けた自動車の中古ホイルウケ大２、２′、２″ホイルウケ小２Ａ、２Ｂ、２Ｃに、ボルト１２を、タイヤ大４、４′、４″と、タイヤ小５、５′、５″とホイル大６、６′、６″、ホイル小７、７′、７″にさしこみナット１３で固定しめつける。右側タイヤ大４、ホイル６、ホイルウケ大２の裏側に取り付けた電気モーター１により各タイヤ大、小を回して、タイヤ大４″、ホイル大６″、ホイルウケ大２″の固定板１０の裏側の固定ウケ１６に固定されている発電モーター３を発電する。そして、タイヤホイル発電機を物置８の中におさめて、そこ固定板１０′と物置の床をボルトナット固定具１１で固定し、おもてうらに引き戸９を４枚設け、安全対策として、デスクブレーキ１５を設ける。【選択図】図２
2007014182.tif 000002
【特許請求の範囲】
【請求項１】
イ）固定板（１０）に、ホイルウケ大（２）、ホイルウケ大（２′）、ホイルウケ大（２″）とホイルウケ小（２Ａ）、ホイルウケ小（２Ｂ）を設ける。
ロ）タイヤ大（４）、タイヤ大（４′）、タイヤ大（４″）と、タイヤ小（５）、タイヤ小（５′）とホイル大（６）、ホイル大（６′）、ホイル大（６″）と、ホイル小（７）ホイル小（７′）を設ける。
ハ）右側のタイヤ大（４）、ホイル大（６）をホイルウケ（２）に取り付けて、電気モーター（１）を固定板（１０）のうら側に設ける。
ニ）左側のタイヤ大（４″）、ホイル（６″）のホイルウケ（２″）に発電モーター（３）を固定板（１０）、そこ固定板（１０′）のうら側に設ける。
ホ）タイヤホイル発電機を物置（８）の中に入れ、そこ固定板（１０′）と物置のゆかをボルトナット固定具（１１）で固定し、引き戸（９）を４まいうらおもてに設ける。
ヘ）固定板（１０）、そこ固定板（１０′）に補強スジカイ板（１４）を両側に設ける。
ト）安全対策としてデスクブレーキ（１５）を設け。物入れ（１７）も設ける。
以上の如く構成された、タイヤホイル発電機。
【請求項２】
イ）物置（８）をタテに高くしてタイヤ大（４′）、ホイル大（６′）のホイルウケ大（２′）とタイヤ小（５″）、ホイル小（７″）、ホイルウケ小（２ｃ）を左側上部に設ける。
ロ）ホイルウケ（２Ｃ）の上部に、タイヤ大（４′′′）、ホイル大（６′′′）、ホイルウケ（２′′′）とタイヤ小（５′）、ホイル小（７′）、ホイルウケ小（２Ｂ）と、タイヤ（４″）、ホイル大（６″）、ホイルウケ（２″）を設ける。
ハ）タイヤ大（４″）の固定板（１０）のウラ側に発電モーター（３）を設けた請求項１のタイヤホイル発電機。
【発明の詳細な説明】
【産業上の利用分野】
【０００１】この発明は、中古自動車のタイヤホイルを使用リサイクルして、電気を作るといった発電機に関するものである。
〔従来の技術〕
【０００２】従来の発電機は音が大きく、太陽光発電機、風力発電機などの発電機は、無公害ですがコストが高いです。
〔発明が解決しようとする課題〕
【０００３】したがって、コストダウンするために、モーター各種も、洗たく機、冷蔵庫などの中古モーターを使用する。
〔課題を解決するための手段〕
【０００４】いま、その構成を説明すると、
イ）固定板（１０）に、ホイルウケ大（２）（２′）（２″）、ホイルウケ小（２Ａ）（２Ｂ）（２Ｃ）を取り付けて、ボルト（１２）にタイヤ大（４）（４′）（４″）とタイヤ小（５）（５′）（５″）とホイル大（６）（６′）（６″）、ホイル小（７）（７′）（７″）をさしこみナット（１３）で固定しめつけをする。
ロ）右側タイヤ大（４）ホイル大（６）をホイルウケ（２）に取り付けて電気会社、からの電気で固定板のウラ側の各モーター固定ウケ（１６）に固定されている電気モーター（１）を回してやり各（大）（小）のタイヤを回して、タイヤ大（４″）ホイル大（６″）、ホイルウケ（２″）の固定板（１０）のウラ側に固定ウケ（１６）に固定されている発電モーター（３）を回転させて発電する。
ハ）タイヤホイル発電機を物置（８）の中に入れてそこ固定板（１０′）と物置の床をボルトナット固定具（１１）で固定し、おもてうらに引き戸（９）を４まいもうける。
ニ）固定板（１０）、そこ板（１０′）に補強スジカイ板（１４）を両側に設ける。
ホ）安全対策としてデスクブレーキ（１５）を設け、あきスペースに物入れ（１７）を設ける。
ヘ）物置（８）のヨコをコンパクトにするために、タイヤ大（４′）、ホイル大（６′）、ホイルウケ（２′）と、タイヤ小（５″）、ホイル小（７″）、ホイルウケ小（２Ｃ）を左側上部に設ける。
ト）タイヤ大（４′′′）、ホイル（６′′′）、ホイルウケ（２′′′）を設け、タイヤ（５′）、ホイル小（７′）、ホイルウケ小（２Ｂ）と、タイヤ大（４″）、ホイル大（６″）、ホイルウケ大（２″）の固定板（１０）のウラに取り付けた発電モーターで電気を作る。
〔作用〕
【０００５】次に、本発明の作用を述べると、タイヤ大（４）、ホイル（６）、ホイルウケ（２）の固定板（１０）のウラ側に付いている電気モーターを電力会社からの電気で回すとタイヤ大（４″）、ホイル大（６″）、ホイルウケ（２″）が回り、固定板（１０）のウラ側についている発電モーター（３）が回り発電して電気を作る。しかも、電気モーターとタイヤなので音も小さい。
〔実施例〕
【０００６】なお、この装置は、カッ車の原理にもとずいているので、すかしの木のカッ車とロープで、すべり止めがなかったので中のカッ車を下げていましたが、この発明の装置はタイヤの摩擦を利用し、すべり止めとしているので小カッ車のタイヤを水平にしてもだいじょうぶです。
〔発明の効果〕
【０００７】だから小量の電気で多量の電気を作ることができ、そだいゴミの自動車のタイヤ、ホイル、洗たく機、冷蔵庫などのモーターが再利用できコストダウンできます。
【図面の簡単な説明】〔図１〕
本発明の前面図
〔図２〕
本発明の上面図
〔図３〕
本発明の右側側面図
〔図４〕
本発明の請求項２の正面図
〔図５〕
本発明の請求項２の上面図
【符号の説明】
１は電気モーター
２はホイルウケ大（２′）（２″）、ホイルウケ小（２Ａ）（２Ｂ）（２Ｃ）
３は発電モーター
４はタイヤ大（４′）（４″）
５はタイヤ小（５′）（５″）
６はホイル大（６′）（６″）
７はホイル小（７′）（７″）
８は物置
９は引き戸
１０は固定板１０′はそこ固定板
１１はボルトナット固定具
１２はボルト
１３はナット
１４は補強スジカイ板
１５はデスクブレーキ
１６は各モーター固定板
１７は物入れ
【図１】
2007014182.tif 000003
【図２】
2007014182.tif 000004
【図３】
2007014182.tif 000005
【図４】
2007014182.tif 000006
【図５】
2007014182.tif 000007
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
イ）固定板１０に、ホイルウケ大２、２′、２″とホイルウケ小２Ａ、２Ｂ、を取り付け、ボルト１２を設ける。
ロ）タイヤ大４、４′、４″、タイヤ小５、５′、５″とホイル大６、６′、６″、、ホイル小７、７′、７″の穴をボルト１２にさしこみナット１３でしめつけ固定する。
ハ）右側のタイヤ大４、ホイル大６をホイルウケ２に取り付けて一体にして電気モーター１を固定板１０のうら側に取り付けて電力会社からの電気を使用して回転させて、カッ車の原理で各タイヤ大小を回してゆき発電モーター３で数倍の電気を作るよう設ける。
ニ）タイヤホイル発電機を物置８の中に入れ、そこ固定板１０′と物置の床をボルトナット固定具１１で固定し引き戸９をうらおもてに４まいづつ設ける。
ホ）固定板１０、そこ固定板１０′に補強スジカイ板１４を両側に設けて、電気モーター１、発電モーター３を各モーター固定板１６で固定するよう設ける。
ヘ）安全対策としてデスクブレーキ１５をホイルウケ大２に設け、物入１７も設ける。
以上の如く構成された、タイヤホイル発電機。
【請求項２】
物置８をコンパクトにするために立長に設け、タイヤ大４′、４″、ホイル大６′、６″のホイルウケ大、２′、２″、とタイヤ小５″、ホイル小７″、ホイルウケ小２Ｂ、２Ｃを左側上部に設けた、以上の如く構成された
請求項１のタイヤホイル発電機。
【手続補正２】
【補正対象書類名】明細書
【補正対象項目名】０００１
【補正方法】変更
【補正の内容】
【０００１】
この発明は廃車自動車のタイヤホイルを使用した発電機で電気を作るといった、タイヤホイル発電機に関するものである。
【課題を解決するための手段】
【０００４】
ロ）右側タイヤ（４）、ホイル大（６）をホイルウケ（２）に取り付けて、電力会社からの電気で固定板（１０）のうら側の各モーター固定板（１６）に固定されている電気モーター（１）を回してやり各大小のタイヤを回してタイヤ大（４″）、ホイル大（６″）、ホイルウケ（２″）固定板（１０）のうら側の各モーター固定板（１６）で固定されている発電モーター（３）を回転させて発電し電気を作る。
【作用】
【０００５】
次に、本発明の作用を述べるとタイヤ大４、ホイル大６と右側のうらについている電気モーター１を電気で回すと、タイヤ４の１／２のタイヤ小５が回り、左側タイヤ大６″と一体になっている発電モーター３が回り発電して電気を作る、しかも電気モーターとタイヤなので音が小さい。
【発明の効果】
【０００７】
だから、カッ車の原理でタイヤ大４、４′、４″とタイヤ小５、５′を水平に設けて固定して一体になっている電気モーター１とタイヤ大４を１Ａ（アンペアー）の力で回転させるとタイヤ小５、タイヤ大４′で２Ａになり、さらにタイヤ小５′、タイヤ大４″で４Ａの電気をえることができる。